(57)【特許請求の範囲】
【請求項１】
両端を開放した鋼鉄製中空筒状の外筒部と、
前記外筒部内に緊密状に内装される直管型のライト部とで構成されており、
ライト部は、外筒部よりも短尺で、透過性パイプ部で覆われた発光部と、発光部の両側に設けられ、弾性部材で形成された環状の密着部とで構成されており、
外筒部は、筒両側に所定長さの中空領域を残してその左右の中空領域の間において切り欠き窓部を設けており、
前記外筒部は、切り欠き窓部の設けられた領域が、ライト部の発光部が位置する発光部配設領域とされ、
前記外筒部の両側に位置するそれぞれの中空領域は、ライト部の左右の密着部がそれぞれ緊密状に密着されるライト部固着領域と、前記ライト部固着領域と外筒部の端部との間に設けられ、所定の内筒部材を嵌め入れる内筒部材挿入領域とされており、
前記内筒部材挿入領域に相対する外筒部の外面領域は、クランプ取付領域を構成していることを特徴とする照明装置。
【請求項２】
内筒部材挿入領域に嵌め入れる所定の内筒部材は、内筒部材挿入領域に嵌入される部分と、外筒部の端部から突出し、隣り合う所定の部材に嵌入される突出部分とを有するジョイント部材であることを特徴とする請求項１に記載の照明装置。
【請求項３】
発光部は、透過性パイプ部内に多数のＬＥＤを表面に実装したＬＥＤ基板が配されていることを特徴とする請求項２に記載の照明装置。
【請求項４】
密着部は、ＬＥＤ基板に接続された配線が端部から突出しており、前記配線はジョイント部材内を挿通して配設されることを特徴とする請求項３に記載の照明装置。
【請求項５】
密着部は、その外周に環状のシールリップを備えたことを特徴とする請求項４に記載の照明装置。
【請求項６】
隣り合う所定の部材は、所定の作業足場を構築する足場用の単管パイプで、外筒部は、その筒外径および筒内径が、前記単管パイプのパイプ外径およびパイプ内径と同一とし、前記足場用の単管パイプとともに組み立てられて所定の作業足場を構築することを特徴とする請求項２乃至５のいずれかに記載の照明装置。
【発明の詳細な説明】
【技術分野】
【０００１】
本発明は、照明装置に関し、特に、例えば作業現場や建設現場などに設置される単管足場・枠組足場などの、いわゆる作業足場に使用され、設置現場周辺の照明を図る照明装置に関する。
【背景技術】
【０００２】
建設現場（工事現場）などの躯体の外壁面に沿って設置される作業足場などには、施工者などの歩行安全性確保のため、設置現場周辺を照明装置で照らす必要がある。
【０００３】
従来、このように足場周辺を明るく照らして施工者などの歩行安全性を確保する場合には、作業足場を構築している単管パイプなどの所定箇所に、例えば専用のフックなどで照明装置を吊り下げ保持したり、特許文献１に開示されている専用の固定金具で別途照明装置を取り付けたりしていた。
【０００４】
しかし、このように専用のフックや固定金具を介して別途照明装置を取り付けるものにあっては、以下に示す種々の不具合を有していた。
（１）足場用の単管パイプを組み立てた後に、選択された所定箇所毎に前記固定金具を取り付け施工し、そして、その固定金具に所定の照明装置（水銀灯など）を取付施工しなければならない。このような施工を足場用の単管パイプの組立作業とは別途に必要であったため、足場施工の作業が面倒であるとともに、その照明装置の設置作業が大変煩わしく、その分の作業時間も要していたものであった。
また、専用のフックを介して照明装置を吊り下げ保持する場合であっても、作業上の煩わしさは同様である。
（２）単管パイプに前記固定金具および照明装置が突出した状態で設置されるものであったため、その設置箇所によっては、施工者などが施工器具や施工材料などをもって足場を歩行する際に、前記器具や材料などが固定金具や照明装置に接触してしまう虞があり、歩行の安全性を確保し得ない。また、接触して照明装置を破損させてしまう虞もあった。さらには、破損した照明装置の破損部品が下方に落下すると、下で作業している施工者などに大変危険であった。
また、専用のフックを介して照明装置を吊り下げ保持する場合であっても、上述した危険性を有していることは同様である。
【先行技術文献】
【特許文献】
【０００５】
【特許文献１】特許第３７２７３６８公報
【発明の概要】
【発明が解決しようとする課題】
【０００６】
本発明は、このような問題を解決するためになされており、その目的は、歩行領域に突出することなく足場周辺を照らすことが可能で、歩行する際の様々な安全性を確保するとともに、足場施工における作業簡素化を図り煩わしさを解消し得る照明装置を提供することにある。
【課題を解決するための手段】
【０００７】
この目的を達成するために、本発明の第１の発明は、両端を開放した鋼鉄製中空筒状の外筒部と、
前記外筒部内に緊密状に内装される直管型のライト部とで構成されており、
ライト部は、外筒部よりも短尺で、透過性パイプ部で覆われた発光部と、発光部の両側に設けられ、弾性部材で形成された環状の密着部とで構成されており、
外筒部は、筒両側に所定長さの中空領域を残してその左右の中空領域の間において切り欠き窓部を設けており、
前記外筒部は、切り欠き窓部の設けられた領域が、ライト部の発光部が位置する発光部配設領域とされ、
前記外筒部の両側に位置するそれぞれの中空領域は、ライト部の左右の密着部がそれぞれ緊密状に密着されるライト部固着領域と、前記ライト部固着領域と外筒部の端部との間に設けられ、所定の内筒部材を嵌め入れる内筒部材挿入領域とされており、
前記内筒部材挿入領域に相対する外筒部の外面領域は、クランプ取付領域を構成していることを特徴とする照明装置としたことである。
【０００８】
本発明の第２の発明は、第１の発明において、内筒部材挿入領域に嵌め入れる所定の内筒部材は、内筒部材挿入領域に嵌入される部分と、外筒部の端部から突出し、隣り合う所定の部材に嵌入される突出部分とを有するジョイント部材であることを特徴とする照明装置としたことである。
【０００９】
本発明の第３の発明は、第２の発明において、発光部は、透過性パイプ部内に多数のＬＥＤを表面に実装したＬＥＤ基板が配されていることを特徴とする照明装置としたことである。
【００１０】
本発明の第４の発明は、第３の発明において、密着部は、ＬＥＤ基板に接続された配線が端部から突出しており、前記配線はジョイント部材内を挿通して配設されることを特徴とする照明装置としたことである。
【００１１】
本発明の第５の発明は、第４の発明において、密着部は、その外周に環状のシールリップを備えたことを特徴とする照明装置としたことである。
【００１２】
本発明の第６の発明は、第２乃至第５のいずれかの発明において、隣り合う所定の部材は、所定の作業足場を構築する足場用の単管パイプで、外筒部は、その筒外径および筒内径が、前記単管パイプのパイプ外径およびパイプ内径と同一とし、前記足場用の単管パイプとともに組み立てられて所定の作業足場を構築することを特徴とする照明装置としたことである。
【発明の効果】
【００１３】
本発明によれば、歩行領域に突出することなく足場周辺を照らすことが可能で、歩行する際の様々な安全性を確保するとともに、足場施工における作業簡素化を図り煩わしさを解消し得る照明装置を提供し得た。
すなわち、従来から使用されている足場用の単管パイプと同一形態（同一素材）のパイプを外筒部として使用しているため、足場の一部として使用できる。
これにより、別途照明器具を足場用の単管パイプの外側に固定したり、あるいは照明器具をフックなどで吊り下げ配置したりする必要がなくなる。すなわち、照明器具が単管パイプと一体になっており、照明器具が単管パイプの外部に備えられることがなくなるため、照明器具の落下の危険性や施工上の邪魔になるという虞もない。
また、足場を組むときに一緒に照明装置も完備されることとなるため、別途照明装置を配設する手間や煩わしさもない。
【図面の簡単な説明】
【００１４】
【図１】本発明照明装置の一実施形態を一部省略して示す概略縦断正面図である。
【図２】本発明照明装置の一実施形態であって、内筒部材（ジョイント部材）を嵌め入れた状態を一部省略して示す概略縦断正面図である。
【図３】本発明照明装置を構成する外筒部の一実施形態であって、（ａ）は一部省略して示す概略全体概略斜視図、（ｂ）は（ａ）のＩ-Ｉ線概略断面図である。
【図４】本発明の一実施形態の照明装置を作業足場の一部に組み込んだ状態を一部省略して示す概略斜視図である。
【図５】本発明の一実施形態の照明装置を作業足場の一部に組み込んだ状態を一部省略して示す概略断面図である。
【図６】本発明照明装置を構成するライト部の一実施形態を一部省略して示し、ライト部に設けられる密着部の外周に環状のシールリップが備えられていることを示す概略縦断正面図である。
【発明を実施するための形態】
【００１５】
以下、本発明照明装置の一実施形態、例えば、作業現場や建設現場などに設置される、いわゆる作業足場に本発明を適用した実施の一形態について説明する。
なお、本実施形態は、本発明の一実施形態であって、何等これらに限定解釈されるものではなく本発明の範囲内で設計変更可能である。
【００１６】
図１は、本発明の照明装置の概略断面図であって、本実施形態では、外筒部１とライト部３と内筒部材１２で照明装置を構成している。
【００１７】
外筒部１は、両端を開放した所定径で、かつ所定長さの鋼鉄製の中空円筒体で、その筒長さ方向（図１−図３にて矢印Ｌ１で示す方向）の中央領域に、筒長さ方向にわたって所定長さの切り欠き窓部２を有している。
なお、本実施形態では、円筒体をもって説明するが、その筒形状もこれに限定解釈されず、角筒体であってもよい。また、外筒部１の全体長さや径の大きさなども限定されず本発明の範囲内で設計変更可能である。
【００１８】
切り欠き窓部２は、筒体の両側に所定長さの中空領域Ａ１，Ａ２をそれぞれ残して、その左右の中空領域Ａ１，Ａ２の間に形成されている。本実施形態では、図３（ａ）（ｂ）に示すように、筒体の軸心Ｒに直交する水平仮想線Ｌ２を境にして上下方向半分を切り欠いて形成されており、前記切り欠き窓部２の設けられた領域が、ライト部３の発光部４が位置する発光部配設領域Ａ３とされている（図１参照。）。
切り欠き窓部２の切り欠き領域（筒長さ方向の領域・筒周方向の領域）は広狭任意であって、本発明の範囲において設計変更可能である。より広域を照らす場合には切り欠き窓部２の領域を広く（大きく）とり、ピンポイントに照らす場合には切り欠き窓部２の領域を狭く（小さく）とることができる。また、切り欠き窓部２は、外筒部１に断続的に設けてスポット的に照らすようにすることも可能である。
【００１９】
前記外筒部１の両側に位置するそれぞれの中空領域Ａ１，Ａ２は、ライト部３の左右の密着部１０，１０がそれぞれ緊密状に密着されるライト部固着領域Ａ１１，Ａ２１と、前記ライト部固着領域Ａ１１，Ａ２１と外筒部１の端部との間に設けられ、所定の内筒部材を嵌め入れる内筒部材挿入領域Ａ１２，Ａ２２とされている（図１参照。）。
【００２０】
ライト部３は、外筒部１よりも短尺の直管型に形成され、前記外筒部１内に緊密状に内装されており、透過性パイプ部５で覆われた発光部４と、発光部４の両側に設けられ、弾性部材で形成された環状の密着部１０とで構成されている（図１参照。）。
【００２１】
発光部４は、例えばポリカーボネート製の透過性パイプ部５と、前記透過性パイプ部５内において、透過性パイプ部５のパイプ長さ方向（図１にて矢印Ｌ１で示す方向）に配設される基板６と、基板６の一面側にて該基板６の長さ方向（図１にて矢印Ｌ１で示す方向）に所定間隔で多数配設されるＬＥＤパッケージ７からなるＬＥＤパッケージ群と、基板６の両端に電気的に接続されて透過性パイプ部５の両端に一体に配設される口金１７，１７と、口金１７，１７にそれぞれ着脱自在に接続される入力線８と出力線９とで構成されている（図１参照。）。
発光部４の長さは、外筒部１の切り欠き窓部２の長さ（外筒部１の長さ方向）とほぼ同程度の長さであって、外筒部１内に挿入された際に、外筒部１の切り欠き窓部２から臨むように設定されている。
本実施形態では、発光部４の透過性パイプ部５をポリカーボネート製としているため、外部からの衝撃に強く割れにくいため、特に作業足場の一部として組み込んで使用するのに適している。
【００２２】
さらに本実施形態では、透過性パイプ部５の全域を覆う外パイプ部１６を備えた形態を採用しているため、外部からの衝撃にさらに強く、かつ埃などの影響も受け難い。
外パイプ部１６は、透過性パイプ部５と同様に透過性を有する材質、本実施形態では透明のポリカーボネート製で所望長さの円筒形状に形成されており、密着部１０に形成されている段部１０ａに端部が嵌め込まれて密着部１０と一体化されている。
【００２３】
なお、透過性パイプ部５、外パイプ部１６は、それぞれ透過性を有する材質からなるものであれば特にその材質、形状、パイプの色などに何等限定解釈されるものではなく、設計変更可能であるが、衝撃に強い材質が好ましい。なお、外筒部１の内面形状が角筒形状に構成されている場合には、この外パイプ部１６も角筒形状に構成されるものとする。本実施形態のように、外パイプ部１６を備える形態の場合には透過性パイプ部５はその筒形状に限定されるものではないが、外パイプ部１６を備えない形態を採用する場合には透過性パイプ部５も角筒形状に構成されるものとする。
【００２４】
基板６は、本実施形態では、図１にて破線で示しているように、長尺の一枚板にて形成され、この基板６の長さ方向にわたって多数のＬＥＤパッケージ７（図１にて破線で概略を示している。）を所定間隔で配設した実施の一形態をもって説明しているが、これに何等限定解釈されるものではない。
すなわち、一個ないし複数個のＬＥＤパッケージ７を配設してなる短尺の一枚板からなるものを多数電気的に接続したものであってもよい。
また、ＬＥＤパッケージも特に限定解釈されるものではなく、本発明の範囲内で周知の構造が適用可能である。
【００２５】
入力線８は、両端に接続プラグ８ａ・８ｂを備え、出力線９も両端に接続プラグ９ａ・９ｂを備えている。
入力線８，出力線９は、接続プラグ８ａ，９ａが、多数のＬＥＤパッケージ７を電気的に接続した基板６のそれぞれの端部と電気的に接続されている口金１７，１７に、それぞれが着脱自在に接続されて密着部１０，１０の外方に突出して位置している。
そして、それぞれ隣り合う部材、すなわち本実施形態の照明装置同士が隣り合う場合には、一方の本実施形態照明装置の接続プラグ８ｂが、隣り合う本実施形態照明装置の接続プラグ９ｂと着脱自在に接続される。
これにより、本実施形態の照明装置が複数台連結できる、いわゆる「渡り配線」が講じえる。なお、もっぱら屋外で使用される場合には、接続プラグ８，９には防水プラグを使用するのが好ましい。
【００２６】
密着部１０は、前記発光部４の透過性パイプ部５の外径よりも大径でかつ前記外筒部１の内径よりも大径の短尺円筒状（環状）に弾性材料にて形成され、前記透過性パイプ部５の両端の領域にて、透過性パイプ部５の端部に一体に配設されている口金１７の外周面に内周面を嵌め込んで一体に配設されている（図１参照。）。
また、密着部１０は、上述した外パイプ部１６の端部が嵌め込まれる段部１０ａが環状に形成されている。
密着部１０は、上述のように形成されていることにより、前記外筒部１内に内装される際に、その弾性力に抗して押し縮められて外筒部１内に嵌め入れられるため、嵌め入れ完了後は、外筒部１内のライト部固着領域Ａ１１，Ａ２１にてその弾性力により緊密状に固定される機能とシールする機能の双方を発揮している。
なお、密着部１０の外径は、前記外筒部１の内径に緊密に嵌まり合う程度の外径であることはいうまでもない。密着部１０は、例えば本実施形態では合成ゴムにて形成されているが、外筒部１のライト部固着領域Ａ１１，Ａ２１に緊密状に嵌り合う程度の弾性を有していれば特にその材質に限定解釈されるものではなく、軟質合成樹脂材など周知の材質からなるものに設計変更可能である。
【００２７】
本実施形態では、図６に示すように、密着部１０の外周面にシールリップ１１を環状に設けてライト部固着領域Ａ１１，Ａ２１におけるシール効果を向上させるようにしている。
また、シールリップ１１の形状は特に限定解釈はされないが、切り欠き窓部２から外筒部１の中空領域Ａ１，Ａ２内に雨水や埃などが浸入しないように外向きリップとするのが好ましい。
また、シールリップ１１は、複数設けてシール性を向上させることも可能である。図６は、複数の環状シールリップ１１を設けた一実施形態で、それぞれのシールリップ１１は、リップ先端同士がそれぞれ外向きになるように形成されている。
なお、本実施形態では上述のとおり、シールリップ１１を備える構成を採用しているが、シールリップ１１は本発明において限定解釈されるものではない。
【００２８】
図２は、内筒部材１２を嵌め入れるとともに、隣り合う部材（本実施形態では単管パイプＰ）を連結した状態を示しており、内筒部材１２は、前記外筒部１の内筒部材挿入領域Ａ１２，Ａ２２に嵌入される挿入部分１３と、外筒部１の端部から突出し、隣り合う所定の部材（本実施形態と同一の照明装置あるいは単管パイプ）に嵌入される突出部分１４とを有する両端を開放した全体円筒状のジョイント部材であって、本実施形態の照明装置と隣り合う部材（本実施形態と同一の照明装置あるいは単管パイプ）を連結するものである。図示した内筒部材１２は概略を示すものであり、またこの形態に限定解釈されるものではなく、本発明の範囲内で設計変更可能である。
【００２９】
内筒部材（ジョイント部材）１２は、挿入部分１３の外径が、前記内筒部材挿入領域Ａ１２，Ａ２２に緊密に嵌り合う径とするのが好ましい。なお、突出部分１４にあっては、隣り合う部材（本実施形態と同一の照明装置あるいは単管パイプ）の内径に応じて適宜設計変更可能であるが、隣り合う部材（本実施形態と同一の照明装置あるいは単管パイプ）の内面に緊密に嵌り合う径とするのが好ましいことはいうまでもない。
【００３０】
内筒部材１２には、両端の開放部分に連通した挿通孔部１５が形成されており、この挿通孔部１５に、前記入力線８と出力線９がそれぞれ挿通される（図２参照。）。
内筒部材１２の材質は特に限定解釈されるものではなく、ゴム材・軟質合成樹脂材などの弾性材に限らず、金属などであってもよく本発明の範囲内である。
弾性材によって内筒部材１２を形成する場合、挿入部分１３が内筒部材挿入領域Ａ１２，Ａ２２の内径よりも大径で、突出部分１４が隣り合う部材（本実施形態と同一の照明装置あるいは単管パイプ）の内径よりも大径とし、その弾性力に抗して挿入し、それぞれ復元する力によって緊密に密着するように構成する。
【００３１】
また、金属材などで内筒部材１２を形成する場合に、挿入部分１３が内筒部材挿入領域Ａ１２，Ａ２２に緊密に嵌り合う径とし、突出部分１４にあっては、隣り合う部材（本実施形態と同一の照明装置あるいは単管パイプ）に緊密に嵌り合う径とするのが好ましい。例えば、内筒部材挿入領域Ａ１２，Ａ２２の内径や、隣り合う部材（本実施形態と同一の照明装置あるいは単管パイプ）の嵌合部分の内径よりも大径の外径を有した円筒形状で、その長さ方向に所定の切り込み（図示省略）が入っており、嵌め合う際に、この切り込みによって内筒部材１２の径が縮径され、その縮径された状態で、内筒部材挿入領域Ａ１２，Ａ２２の内径や、隣り合う部材（本実施形態と同一の照明装置あるいは単管パイプ）の嵌合部分の内径に嵌め入れる。従って、縮径状態が解除され、広がろうとする力によって、内筒部材１２が、内筒部材挿入領域Ａ１２，Ａ２２の内径や、隣り合う部材（本実施形態と同一の照明装置あるいは単管パイプ）の嵌合部分の内径に嵌り合う。
なお、金属材などで内筒部材１２を形成する場合には、その嵌め込む際の操作性をよくするため、外筒部１の内筒部材挿入領域Ａ１２，Ａ２２の内径よりもわずかに小径に形成してもよい。このような構成とした場合には、緊密な連結はできないため、内筒部材（ジョイント部材）１２の外周に、Ｏリングなどのシール部材を備えるようにすると良い。
【００３２】
前記内筒部材挿入領域Ａ１２，Ａ２２に相対する外筒部１の外面領域は、図２に示すように、クランプ取付領域Ａ４を構成している。
すなわち、この内筒部材（ジョイント部材）１２を嵌入している領域の外周に、クランプＣを取り付けることとすることで、外筒部１内に配設されているライト部３にクランプＣの取付領域がこないようにする。これにより、クランプ取付時においてライト部３を損傷するような虞もない。
【００３３】
また、クランプ取付領域Ａ４が容易に視認可能な構成を付加することも可能である。
一例を挙げると、外筒部１の外周面に設けられるクランプ取付領域（内筒部材挿入領域）Ａ４と外筒部１の中空領域Ａ１（Ａ２）に設けられるライト部固着領域Ａ１１（Ａ２１）との境界位置に対応する外筒部１の外周面に、所定の識別用突起（突起は断続的でも、環状に連続しているものでも良い。）を設けたり、境界位置で色分けをして識別したりすることが考えられる（それぞれ図示は省略する。）。
【００３４】
なお、本実施形態では、ポリカーボネート製の透過性パイプ部５内にＬＥＤ基板６を内装した直管形のライト部３をもって説明したが、透過性パイプ部内に、直管形蛍光管を内装した形態であっても本発明の範囲内であり、適宜設計変更可能である。
なお、外筒部として、従来から使用されている足場用の鋼鉄製の単管を使用することも可能である。
【００３５】
本実施形態の照明装置を構成している外筒部１は、その筒外径および筒内径が、所定の作業足場を構築する足場用の単管パイプ（隣り合う所定の部材）Ｐのパイプ外径およびパイプ内径と同一とし、前記足場用の単管パイプＰとともにクランプＣを介して組み立てられて所定の作業足場を構築するように構成している。
【００３６】
図４および図５は、本実施形態の照明装置の使用状態の一例を示すもので、作業足場の一部にクランプＣを介して本実施形態の照明装置を組み込んでいる。本実施形態では、図４に示すように、本実施形態の照明装置と隣り合う部材として同じく本実施形態の照明装置を用いて連結している。
このように、本実施形態の照明装置を用いることにより、作業足場を構築する工程で、足場に必要な照明器具も一緒に組み込むことができるため、施工上極めて効率性が良い。
また、本実施形態の照明装置であれば、構築した作業足場の歩行領域に、照明器具が突出したり、垂れ下がっていたりすることもないため、作業者（施工者）の歩行安全性においても大変有用である。
さらに、照明の方向を変えたい場合には、一旦、本実施形態の照明装置を取り付け固定しているクランプＣを緩め、外筒部１の軸心Ｒを中心として所定方向（図３（ｂ）および図５にて矢印Ｒ１で示す方向）に回転作動させれば照明の方向を３６０度任意に変えることができる。
【００３７】
本実施形態によれば、隣り合う照明装置のそれぞれの外筒部１と外筒部１を連結する内筒部材（ジョイント部材）１２の内部にて配線同士の連結ができるため、配線は外部に露出せず隠した状態で這わすことができる（図２参照。）。
従って、従来のように露出した照明装置の配線に作業者が引っかかり大変危険であったという不具合も解消され安全性が向上する。
また、従来のように、配線が引っかからないように養生する別途手間も不要となるため、養生に要する作業時間・作業労力および作業コストが軽減できる。
【００３８】
本実施形態では、外筒部１の切り欠き窓部２が天地方向で下に向き（図５にて矢印Ｄ方向に向いている）、ライト部３の発光部４からの光が上方から下方（図５にて矢印Ｄ方向）に向けて照らすことのできるようにクランプＣにて取り付けられている（図４、図５参照）。また、本実施形態では、ライト部３にはＬＥＤパッケージ７を実装したライト部３を外筒部１内に内装している。
従って、まっすぐな指向性をもったＬＥＤの光によって作業足場の足元を上方から効率よく照らすことができる（図５参照）。なお、ＬＥＤパッケージのレンズ形状やＬＥＤパッケージの配設の仕方あるいは反射させる部材の配設などによって指向性の度合いを任意に変更可能であることはいうまでもない。
なお、作業足場のどの位置に本実施形態の照明装置を組み込むかは施工現場に応じて適宜設計変更可能であり、種々の作業現場の態様に広く対応することができる。
また、本実施形態では、本実施形態の照明装置を、単管パイプＰとともにクランプＣを介して水平に取り付けて作業足場を構築する横管の一つとしているが、縦管として用いることができることはいうまでもない。
【００３９】
本実施形態では、本発明の照明装置を組み込んで作業現場の作業足場を構築する実施の一形態をもって説明したが、本発明の照明装置は、特に作業足場を構築するために使用されるものに限定解釈されるものではなく、他の用途、例えば、工事現場の領域を工事現場以外の領域と区分けするために用いられ、かつ照明機能を必要としている柵や、仮囲いなどの一部として使用されるものなども本発明の範囲内であり設計変更可能である。
また、本発明照明装置の全体長さ・太さ・形状なども、その利用形態に応じて適宜設計変更されるものである。
【符号の説明】
【００４０】
１  外筒部
２  切り欠き窓部
３  ライト部
４  発光部
５  透過性パイプ部
６  基板
７  LEDパッケージ
８  入力線
９  出力線
１０  密着部
１２  内筒部材
Ａ１，Ａ２  中空領域
Ａ１１，Ａ２１  ライト部固着領域
Ａ１２，Ａ２２  内筒部材挿入領域
Ａ３  発光部配設領域
Ａ４  クランプ取付領域
【図１】
0005432116.tif 000002
【図２】
0005432116.tif 000003
【図３】
0005432116.tif 000004
【図４】
0005432116.tif 000005
【図５】
0005432116.tif 000006
【図６】
0005432116.tif 000007